(57)【要約】【課題】本来のデジタルチューナ用リモコンは勿論のこと、アナログ放送用リモコンによっても、デジタルチューナを操作できるようにする。【解決手段】  デジタルチューナのリモコン信号処理部において、アナログ放送用リモコンからの送信信号を受信し、所定のボタン操作に応じて、地上波デジタル放送受信状態、ＢＳ放送受信状態、ＣＳ放送受信状態に切換えると共にそれぞれのメディア切換選択を行い、各放送受信状態に対応したアイコンを画面上に表示させるようにした。【選択図】      図７
2005295263.tif 000002
【特許請求の範囲】
【請求項１】
デジタル放送を受信するデジタルチューナと、
前記デジタルチューナに設けられるリモコン信号処理部と、
前記リモコン信号処理部は、
アナログ放送用リモコンから送信される信号を受信する手段と、
前記アナログ放送用リモコンに設けられる所定のボタンの操作に応じて、
所定のデジタル放送受信状態に切替え、前記切替られた所定のデジタル放送が有するメディアの切替えを行う切替手段と、
を具備することを特徴とするデジタルチューナ制御装置。
【請求項２】
前記所定のデジタル放送受信状態に対応したアイコンを画面に表示させるアイコン表示制御手段と、
前記アイコン表示制御手段によって表示されるアイコンはメディアの種類を識別する複数の表示エリアを有し、
前記切替手段は、前記所定のボタンの操作に応じて、
前記複数の表示エリアの中から所定の表示エリアを選択するように前記アイコン表示制御手段を制御することを特徴とするデジタルチューナ制御装置。
【請求項３】
前記放送及びメディアが選択されたときに、
前記アナログ放送用リモコンのチャンネルアップ或はチャンネルダウンを行うためのボタンが操作されることに応答して、
各メディア内の番組選択を行う手段を有することを特徴とする請求項２記載のデジタルチューナ制御装置。
【請求項４】
前記リモコン信号処理部は、前記アナログ放送用リモコンから送られてくる信号に含まれるメーカＩＤを識別し、この識別結果に応じてリモコン信号のコード変換テーブルを切換える手段を有することを特徴とする請求項１記載のデジタルチューナ制御装置。
【請求項５】
前記アナログ放送用リモコンには、画面表示ボタンが設けられており、この画面表示ボタンが押されたときに、前記リモコン信号処理部は、チャンネル情報、番組情報を表示させるための機能を含むことを特徴とする請求項１記載のデジタルチューナ制御装置。
【請求項６】
デジタル放送を受信するデジタルチューナの制御方法において、
前記デジタルチューナに設けられるリモコン信号処理部では、
アナログ放送用リモコンから送信される信号を受信するステップと、
前記アナログ放送用リモコンに設けられる所定のボタンの操作に応じて、
所定のデジタル放送受信状態に切替え、前記切替られた所定のデジタル放送が有するメディアの切替えを行うステップと、
を有することを特徴とするデジタルチューナ制御方法。
【請求項７】
前記所定のデジタル放送受信状態に対応したアイコンを画面に表示させるステップを有し、
上記ステップで表示されるアイコンは、メディアの種類を識別する複数の表示エリアを有し、
前記切替えを行うステップでは、前記所定のボタンの操作に応じて、
前記複数の表示エリアの中から所定の表示エリアを選択するように制御することを特徴とするデジタルチューナ制御方法。
【請求項８】
前記送信信号を受けるステップは、前記送信信号に含まれるメーカＩＤを識別するステップを含み、
前記放送及びメディアの切替を行うステップでは、前記メーカＩＤの識別結果に応じて、前記アナログ放送用リモコンから送られてくる命令を前記デジタルチューナの命令に変換するためのテーブルを切換選択することを特徴とする請求項６記載のデジタルチューナ制御方法。
【請求項９】
前記テーブルの内容は外部から変更可能であることを特徴とする請求項８記載のデジタルチューナ制御方法。
【発明の詳細な説明】
【技術分野】
【０００１】
本発明は、地上波デジタル放送、衛星（ＢＳ）放送、および１１０度通信衛星（ＣＳ）放送における電波を受信するデジタルチューナを、容易にリモートコントロールすることができる、デジタルチューナ制御装置及び制御方法に関する。
【背景技術】
【０００２】
最近では、地上波デジタル放送、衛星（ＢＳ）放送、および110度通信衛星（ＣＳ）放送における電波を受信するデジタルチューナが開発され市場に出回っている。加えて、一般家庭では、従来からのアナログテレビが使用されている。現状では、デジタルチューナを操作するためのリモートコントローラ（以下デジタルチューナ用リモコンと称する）と、アナログテレビを操作するためのリモートコントローラ（以下アナログ放送用リモコンと称する）とは、独立して販売され、それぞれが一般ユーザの家庭に存在する。
【特許文献１】特開２００１−２８５９６５
【発明の開示】
【発明が解決しようとする課題】
【０００３】
一般のユーザは、アナログテレビを操作するためのアナログ放送用リモコンを使うことには、慣れている。しかし、新しく購入したデジタルチューナを操作するためのデジタルチューナ用リモコンを使うことについては不慣れである。特に老人などは、デジタルチューナ用リモコンに対して慣れるまでに時間がかかるために、デジタルチューナの購入に際して不安感をもつ傾向にある。
【０００４】
そこでこの発明の目的は、本来のデジタルチューナ用リモコンは勿論のこと、今まで慣れ親しんできたアナログ放送用リモコンによっても、デジタルチューナを操作できるようにした、デジタルチューナ制御装置及び制御方法を提供することにある。
【課題を解決するための手段】
【０００５】
この発明は上記の目的を達成するために、デジタルチューナのリモコン信号処理部に、アナログ放送用リモコンからの送信信号をデジタルチューナ操作用の命令に変換する命令変換手段を設ける。そして、命令変換手段には、少なくともデジタルチューナの受信放送の種類を切替える機能を設けている。具体的には、前記リモコン信号処理部は、アナログ放送用リモコンから送信される信号を受信する手段と、前記アナログ放送用リモコンに設けられる所定のボタンの操作に応じて、所定のデジタル放送受信状態に切替え、前記切替られた所定のデジタル放送が有するメディアの切替えを行う切替手段とを具備する。
【発明の効果】
【０００６】
上記の手段により、デジタルチューナの利用者は、アナログ放送用リモコンを用いて、デジタルチューナを容易に操作することができる。
【発明を実施するための最良の形態】
【０００７】
以下、この発明の実施の形態を図面を参照して説明する。図1は、デジタルチューナを操作するために用いられるデジタルチューナ用リモコンの概要であり、図２は、アナログテレビを操作するために用いられるアナログ放送用リモコンの概要である。図３は、アナログ放送用リモコンを使用している様子を概略的に示している。
【０００８】
図４、図５、図６は、アナログ放送用リモコンを使用した場合のテレビ画面上のアイコンが変化している様子を示している。図４は地上デジタル放送を受信する場合、図５はＢＳ放送を受信する場合、図６はＣＳ放送を受信する場合の例である。図７には、デジタルチューナにおいて、対リモコン信号処理部のブロック構成を示している。図８は、対リモコン信号処理部の信号処理形態の一例を示すフローチャートである。
【０００９】
図１のデジタルチューナ用リモコン１００について説明する。デジタルチューナ用リモコン１００の前面には、リモコン発光部（図示せず）が設けられている。電源ボタン１０１は、デジタルチューナをオンオフするための操作ボタンである。放送切換ボタン１０２は、ＢＳデジタル放送と１１０度ＣＳデジタル放送を切換えるときに使用するボタンである。
【００１０】
操作パネルボタン１０３と、入力切換ボタン１１８は、デジタルチューナにおいて、リンク接続した機器を選択したり、操作するときに使用するボタンである。
【００１１】
数字キー“１”〜“９”、“０”は、チャンネルを選択するときに使用されるボタンであり、また数字ボタンとしても利用できる。１０４は、チャンネル番号を指定して選ぶときに使う操作ボタンである。
【００１２】
メディアボタン１０５は、放送メディア（テレビ、ラジオ、データ）を順次切換えるときに使用するボタンである。チャンネルボタン１０６は、チャンネルを順にチャンネルアップ、あるいはチャンネルダウンさせてチャンネル選択するときに使用されるボタンである。
【００１３】
表示ボタン１０７は、現在放送しているチャンネルや番組の情報を表示するときに使用されるボタンである。またボタン１０８は、お気に入りチャンネルリストを表示するときに使用されるボタンである。今放送されている番組、次に放送される番組をチックするときに使用される番組チェックボタン１０９、番組についての情報や説明をみるときに使用される番組説明ボタン１１０、データ放送を楽しむときに使うデータ放送選択ボタン１１１、便利な機能をクイックメニューとして表示するときに使うボタン１１２などが設けられている。またカーソルボタン１１３，１１４，１１５、１１６選んでいる番組を決定するとき使う決定ボタン１１７などがある。
【００１４】
またこのデジタルチューナ用リモコン１００の下部には、テレビを直接操作する為のキーも設けられている。１２１は、音量を調整するための音量調整ボタン、１２２はテレビチャンネルをアップ、あるいはダウンさせるためのボタン、１２３はテレビのビデオ入力を切換えるためのボタンである。その他、静止画を得るためのボタン、電源オンオフ用のボタン、消音用のボタンがある。
【００１５】
図２は、アナログ放送用リモコン２００を示している。２０１は、アナログテレビの電源オンオフを行うための電源ボタン、２０２は、画面表示ボタンであり、放送チュのチャンネル情報、番組情報などを表示するために使用されるボタンである。また、入力切換ボタン２０３は、テレビ・ビデオの切換えるを行うためのボタンである。
【００１６】
数字キー“１”〜“１２”は、チャンネルを選択するときに使用されるボタンである。また、数字キー“１３”、“１４”、“１５”が例えば予備として設けられている。本発明では、この数字キー“１３”、“１４”、“１５”を例えば地上波デジタル放送選択用ボタン２０４、ＢＳ放送選択用ボタン２０５、ＣＳ放送選択用ボタン２０６として使用することができるようになっている。ただしこの数字キーに限定されるものではなく、他の数字キーが割り当てられてもよい。さらに２０７は、チャンネルアップ或はチャンネルダウンを行うためのボタンである。また２０８は音量調整用のボタンである。
【００１７】
図１と図２のリモコン１００、２００を比べると、デジタルチューナに専用に製造されたデジタルチューナ用リモコン１００の構成が、図２のアナログ放送用リモコン２００の構成に比べてはるかに複雑であり、操作ボタンが多いことが理解できる。
【００１８】
本発明では、図２のシンプルなアナログ放送用リモコン２００により、デジタルチューナを操作できるように、デジタルチューナのリモコンデータ処理部を改良している。リモコンデータ処理部を説明する前に、まずアナログ放送用リモコン２００によりデジタルチューナを操作したときのテレビ画面上に現われるアイコンについて説明する。
【００１９】
図３には、アナログ放送用リモコン２００と、デジタルチューナ３１０と、テレビジョン受信機３２０を示している。アナログ放送用リモコン２００を操作すると、発光部２２０から赤外線を媒体としてリモートコントロール信号が出力される。このリモートコントロール信号は、デジタルチューナ３１０の受光部３１１により受光される。これにより、電源オンオフが可能である。またアナログ放送用リモコン２００は、正規の利用方法として、テレビジョン受信機３２０の電源オンオフ、及び外部入力切換を行うことができる。ここで、テレビジョン受信機３２０は、デジタルチューナ３１０からの入力を選択しているものとする。
【００２０】
ここで今、アナログ放送用リモコン２００の操作ボタンとして、地上波デジタル放送選択用ボタン２０４が押されたとする。すると、テレビジョン受信機３２０の表示画面には、図４（Ａ）に示すようなアイコン３３１が現われる。このアイコン３３１は、地上デジタル放送であることを示すエリア（地上Ｄ）３３１ａと，テレビ放送受信状態であることを示すエリア（テレビ）３３１ｂと，データ放送受信状態であることを示すエリア（データ）３３１ｃとを含む。最初（1回目）に地上波デジタル放送選択用ボタン２０４が押されたときは、図４（Ａ）に示すように、エリア３３１ａとエリア３３１ｂに特定の色の着色表示が得られ、また、テレビ受信状態は、デフォルトのチャンネル又は、チューナが最後に電源オフされる直前まで受信していたチャンネルの受信状態及び番組選択状態となる。この状態から更に、ボタン２０４が押されたとすると、図４（Ｂ）に示すように、アイコン３３１のエリア３３１ａとエリア３３１ｃとに着色表示が得られる。そして、このときは、データ放送受信状態となる。さらにボタン２０４が押されると図４（Ａ）の状態に戻る。
【００２１】
次に、アナログ放送用リモコン２００の操作ボタンとして、ＢＳ放送選択用ボタン２０５が押されたとする。すると、テレビジョン受信機３２０の表示画面には、図５（Ａ）に示すようなアイコン３３２が現われる。
【００２２】
このアイコン３３２は、ＢＳ放送であることを示すエリア（ＢＳ）３３２ａと，テレビ放送受信状態であることを示すエリア（テレビ）３３２ｂと，ラジオ放送受信状態であることを示すエリア（ラジオ）３３２ｃと、データ放送受信状態であることを示すエリア（データ）３３２ｄとを含む。この状態から更に、ボタン２０５が押されたとすると、図５（Ｂ）に示すように、アイコン３３２のエリア３３２ａとエリア３３２ｃとに着色表示が得られる。そして、このときは、ラジオ放送受信状態となる。この状態から更に、ボタン２０５が押されたとすると、図５（Ｃ）に示すように、アイコン３３２のエリア３３２ａとエリア３３２ｄとに着色表示が得られる。そして、このときは、データ放送受信状態となる。さらにボタン２０５が押されると図５（Ａ）の状態に戻る。
【００２３】
次に、アナログ放送用リモコン２００の操作ボタンとして、ＣＳ放送選択用ボタン２０６が押されたとする。すると、テレビジョン受信機３２０の表示画面には、図６（Ａ）に示すようなアイコン３３３が現われる。
【００２４】
このアイコン３３３は、ＣＳ放送であることを示すエリア（ＣＳ）３３３ａと，テレビ放送受信状態であることを示すエリア（テレビ）３３３ｂと，ラジオ放送受信状態であることを示すエリア（ラジオ）３３３ｃと、データ放送受信状態であることを示すエリア（データ）３３３ｄとを含む。この状態から更に、ボタン２０６が押されたとすると、図６（Ｂ）に示すように、アイコン３３３のエリア３３３ａとエリア３３３ｃとに着色表示が得られる。そして、このときは、ラジオ放送受信状態となる。この状態から更に、ボタン２０６が押されたとすると、図６（Ｃ）に示すように、アイコン３３３のエリア３３３ａとエリア３３３ｄとに着色表示が得られる。そして、このときは、データ放送受信状態となる。さらにボタン２０６が押されると図６（Ａ）の状態に戻る。
【００２５】
上記のように本発明の装置は、アナログ放送用リモコンにより、デジタルチューナを操作することができる。
【００２６】
図７には、上記デジタルチューナ３１０内に構成されているリモコン処理部３５３を示している。デジタルチューナ３１０は、本来のデジタルチューナ用リモコン１００からの送信信号を受信するリモコン信号受信部３５１と、アナログ放送用リモコン２００からの送信信号を受信するリモコン信号受信部３５２とを有する。リモコン信号受信部３５１で受信されたリモコン信号は、リモコンコードを認識するコード認識部３５４で命令内容（コマンド内容）が認識される。このコマンドは、チューナ制御信号処理部３５５に送られる。このコマンドに基づき、リモコン信号処理部３５３は、選局及び番組選択部３６２を制御し、チャンネル選択、番組選択を実行する。選局及び番組選択部３６２には、高周波信号処理部３６１からの高周波信号が導かれている。高周波信号は、ＢＳ，或はＣＳ，或は地上波デジタル放送信号を導入したものである。また選局及び番組選択部３６２で選択されたビデオ信号は、ビデオ信号処理部３６３にて、輝度信号処理、色信号処理、増幅などの処理が行われ、ディスプレイに送られる。
【００２７】
一方、アナログ放送用リモコン２００からの送信信号は、リモコン信号受信部３５２で受信される。このリモコン信号受信部３５２で得られたリモコン信号は、そのままでは使用することができないので、一旦、変換部３５６に入力される。この変換部３５６は、入力したリモコン信号をデジタルチューナ３１０に適合する命令に変換することができる。変換された命令は、コード認識部３５４に入力されて、デジタルチューナに対する命令として利用される。
【００２８】
ここで変換部３５６は、複数のメーカのアナログ放送用リモコン２００に対応できるように、複数の変換テーブルを有する。そして、メーカＩＤに応じて変換テーブルが選択されるようになっている。つまり、変換部３５６は、アナログ放送用リモコン２００から送られてきたメーカＩＤを識別し、変換テーブルを決定している。
【００２９】
ここで、３７０は、デジタルチューナの各信号処理ブロックを統括して制御するＭＰＵ（マイクロプロセッシングユニット）である。ＭＰＵ３０７は、リモコン信号処理部３５３の動作状況を監視しており、図４、図５、図６に示したようなアイコン表示を行うために、ビデオ信号処理部３６３を制御している。なお図４、図５、図６に示したようなアイコン表示を行うための画像データは、ビデオ信号処理部３６３のメモリ（図示せず）に格納されてもよいし、或は、リモコン信号処理部３５３に設けられているメモリ（図示せず）に格納されていてもよい。
【００３０】
図８は、上記のリモコン信号処理部３５３の動作を示すフローチャートであり、特にアナログ放送用リモコン２００からの送信信号が到来したときの動作を示している。
【００３１】
テレビジョン受信機３２０の電源がオンされ（リモコン方向は図３の破線で示すリモコンのような姿勢）（ステップＳ１）、またデジタルチューナ３１０の電源がオンされる（リモコン方向は図３の実線で示すリモコンのような姿勢）（ステップＳ２）と、入力切換ボタン２０３による選択状態が判定される（以降はリモコン方向は、デジタルチューナを向けられる）（ステップＳ３）。
【００３２】
入力切換ボタン２０３により例えばテレビが指定されている場合は、地上波アナログ放送の受信状態となる（ステップＳ４）。入力切換ボタン２０３によりデジタル（例えばビデオ）が指定されている場合、デジタル放送受信状態となる（ステップＳ５）。つまり、ボタン２０４、２０５、２０６のいずれかを選択した状態（この操作前のデジタル放送受信時の最後の受信選択状態）となる。ここで、ボタン２０４が選択されると地上波デジタル放送受信状態（ステップＳ６、Ｓ７）、ボタン２０５が選択されるとＢＳ放送受信状態（ステップＳ６、Ｓ８）、ボタン２０６が選択されるとＣＳ放送受信状態（ステップＳ６、Ｓ９）となる。
【００３３】
いずれかのボタンが選択されて、受信する放送が決まると、以後は、メディア切換モードになる。メディア切換は、図４、図５、図６で説明した通りであり、ボタンを押す回数により、選択するメディアが決まる。テレビ、ラジオ、データのいずれかのメディアが決定されると、ボタン２０７による選局状態（ステップＳ１０）に移行する。
【００３４】
上記したようにこの発明の装置では、デジタルチューナのリモコン信号処理部に、アナログ放送用リモコンからの送信信号を受信する手段（リモコン信号受信部３５２）と、前記アナログ放送用リモコンの所定のボタン操作に応じて、地上波デジタル放送受信状態、ＢＳ放送受信状態、ＣＳ放送受信状態に切換えると共に各放送受信状態になったときにそれぞれメディア切換と選択を得る放送及びメディアの切換選択手段（変換部３５６、コード認識部３５４、チューナ制御信号処理部３５５）を有する。そして、前記地上波デジタル放送受信状態、ＢＳ放送受信状態、ＣＳ放送受信状態に対応したアイコンを画面上に表示させるためのアイコン制御手段３７０、３６３を有する。また図４、図５、図6に示したように、アイコンを画面上に表示させるためのアイコン制御手段は、メディアの種類を識別する複数の表示エリアを含み、放送及びメディアの切換選択手段は、前記所定のボタンを続けて押すことで、前記複数の表示エリアをカーソルが移動させるように、前記アイコン制御手段を制御している。
【００３５】
図９には、デジタルチューナ３１０（図３）が、デジタルチューナ用リモコン１００（図１）に対応して、元々から所有していた制御機能９００に対して、アナログ放送用リモコン２００に対応して、新たに追加された制御機能９０１を示している。制御機能９００を分類すると、入力切換制御部、放送切換制御部、メディア切換制御部、選局切換制御部、選局番号入力部、番組情報表示部、ボタン識別部、ボタン機能処理部、電源制御部、テレビ選局制御部、テレビ音量調整部がある。アナログ放送用リモコン対応として、追加された制御機能９０１としては、放送切換制御部、メディア切換制御部、選局切換制御部、ボタン識別部、ボタン機能処理部、情報表示部がある。
【００３６】
「ボタン識別部」は、テレビのメーカーIDや、テレビ用リモコンボタンのキーコードなどの情報を予め登録されている。テレビのリモコンをチューナの受光部に対して操作するとき、送られた情報を認識する機能を有する。
【００３７】
「ボタン機能処理部」は、リモコンボタンを代表するキーコードに応じてチューナが行なうべき機能を実現する機能を有する。例えば、ボタン２０４，２０５，２０６を押すと、それぞれに割当てられた地上D／BS／CS放送の放送切換えが行われる。離してからもう一度に押すと、各放送内でテレビ／ラジオ／データなどのメディア切換えが行われ、カーソルの移動に当たったメディアでの電源オフ前に受信したラストチャンネルが選局される。以上のように、放送切換や、メディア切換の処理を各制御部に渡す役割を果たす。
【００３８】
「放送切換制御部」は、上記のように、ボタン２０４，２０５，２０６が押されると、それぞれに割当てられた地上D／BS／CS放送の放送切換えを行う。「メディア切換部」は、上記のように、ボタン２０４，２０５，２０６がもう一度押されると、各放送（地上D／BS／CS）内でテレビ／ラジオ／データなどのメディア切換えを行い、カーソルの移動位置に当たったメディアでの電源オフ前に受信したラストチャンネルを選局し、受信する。
【００３９】
「選局切換制御部」は、上記のように、メディア切換えが行われたあと、「チャンネルUp／Down」ボタンで各メディア内において、順番とおりチャンネルを選局する。「情報表示部」は、「画面表示」ボタンが押されると、チューナ用リモコンの「表示」ボタンと同じで、現在放送中のチャンネル情報や、番組情報などをテレビ画面に表示する。
【００４０】
図１０には、この発明の他の実施の形態を示している。この発明は上記の実施の形態に限定されるものではなく、リモコン信号処理部３５３は、ソフトウエアにより構成され、且つ、機能アップするための手段を含んでいてもよい。図１０において、リモコン信号受信部３５１，３５２からのリモコン信号は、インターフェース（Ｉ／Ｆ）９１１を介して取り込まれる。リモコン信号はＭＰＵ３７０により解析される。ＲＯＭ９１２は、一時的なデータ保存用として利用される。ＲＯＭ９１３には、例えばこのデジタルチューナと同じメーカのアナログ放送用リモコンのコードをデジタルチューナ用のコードに変換するテーブルが記述されている。また、このデジタルチューナを動作させるための基本プログラムが格納されており、ＭＰＵ３７０は、このプログラムにより動作手順が決まる（例えば図８に示すフローチャート）。
【００４１】
ここで、９１５は、更にプログラムをバージョンアップしたり、さらにはアナログ放送用リモコンのコードをデジタルチューナ用のコードに変換するテーブルを増設（他のメーカのリモコンに対応するため）する場合に装填されるメモリである。このメモリ９１５は、インターネットを介して送られてくるバージョンアップ情報を格納するメモリとして利用されてもよい。
【００４２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４３】
【図１】本発明を説明するために示したデジタルチューナ用リモコンの説明図。
【図２】本発明を説明するために示したアナログ放送用リモコンの説明図。
【図３】本発明を説明するためにテレビジョン受信機とデジタルチューナとアナログ放送用リモコンの関係を示す説明図。
【図４】本発明の装置の動作時の画面上のアイコンの例を示す説明図。
【図５】本発明の装置の動作時の画面上の他のアイコンの例を示す説明図。
【図６】本発明の装置の動作時の画面上の更に他のアイコンの例を示す説明図。
【図７】本発明の一実施の形態におけるデジタルチューナの要部の構成例を示す図。
【図８】本発明の一実施の形態におけるデジタルチューナの要部の動作例を説明するために示したフローチャート。
【図９】本発明の一実施の形態におけるデジタルチューナの要部の機能を分類して示す説明図。
【図１０】本発明の他の実施の形態におけるデジタルチューナの要部の構成例を示す図。
【符号の説明】
【００４４】
１００…デジタルチューナ用リモコン、２００…アナログ放送用リモコン、３１０…デジタルチューナ、３２０…テレビジョン受信機、３５３…リモコン信号処理部、３５４…コード認識部、３５５…チューナ制御信号処理部、３５６…変換部。
【図１】
2005295263.tif 000003
【図２】
2005295263.tif 000004
【図３】
2005295263.tif 000005
【図４】
2005295263.tif 000006
【図５】
2005295263.tif 000007
【図６】
2005295263.tif 000008
【図７】
2005295263.tif 000009
【図８】
2005295263.tif 000010
【図９】
2005295263.tif 000011
【図１０】
2005295263.tif 000012